(57)【要約】【課題】直接確認できない測定対象物に対する測定を容易に行うことを可能とした測定用具を提供する。【解決手段】無端環状のバンド２と、バンド２に設けられた測定用ラベル３とを備える測定用具を用いて、バンド２を測定対象物１０１に巻き掛けると共に、その巻き掛け部分に測定用ラベル３を位置させた状態で測定を行い、バンド２を周方向に移動させながら、測定用ラベル３を読み取り可能な位置まで移動させた後、測定用ラベル３による測定結果を読み取る。その後、バンド２を周方向に移動させながら、測定用ラベル３を巻き掛け部分に位置させる。【選択図】図３
2017166893.tif 000002
【特許請求の範囲】
【請求項１】
無端環状のバンドと、
前記バンドに設けられた測定用ラベルとを備える測定用具。
【請求項２】
前記測定用ラベルが前記バンドの少なくとも一部に設けられていることを特徴とする請求項１に記載の測定用具。
【請求項３】
前記測定用ラベルが前記バンドの表面に配置されていることを特徴とする請求項１又は２に記載の測定用具。
【請求項４】
前記測定用ラベルが前記バンドの内部に配置されていることを特徴とする請求項１又は２に記載の測定用具。
【請求項５】
前記バンドに標識が設けられていることを特徴とする請求項１〜４の何れか一項に記載の測定用具。
【請求項６】
前記測定用ラベルがサーモラベルであることを特徴とする請求項１〜５の何れか一項に記載の測定用具。
【請求項７】
請求項１〜６の何れか一項に記載の測定用具を用いた測定方法であって、
前記バンドを測定対象物に巻き掛けると共に、その巻き掛け部分に前記測定用ラベルを位置させた状態で測定を行うステップと、
前記バンドを周方向に移動させながら、前記測定用ラベルを読み取り可能な位置まで移動させた後、前記測定用ラベルによる測定結果を読み取るステップと、
前記バンドを周方向に移動させながら、前記測定用ラベルを前記巻き掛け部分に位置させるステップとを含むことを特徴とする測定方法。
【発明の詳細な説明】
【技術分野】
【０００１】
本発明は、測定用具及び測定方法に関する。
【背景技術】
【０００２】
従来より、サーモラベルなどの測定用ラベルを用いた簡易な測定方法が提案されている（例えば、特許文献１〜３を参照。）。サーモラベルは、温度に応じて表示が変化するものであり、温度変化を容易に確認することができる。
【０００３】
ところで、変電所などの設備においては、設備のコンパクト化や安全対策などから、絶縁物で覆われた密閉機器などが導入されている。これらの機器において、導電体の発熱や絶縁物の不良などにより発熱した場合、絶縁破壊などの事故につながる虞がある。
【０００４】
例えば、６ｋＶ固体絶縁ミニクラッドにおいては、母線部の加熱が報告されている。母線部は鉄箱（保護カバー）に覆われている。このため、現在は赤外線サーモグラフィーを用いて、鉄箱の外表面の温度を測定し、母線部の加熱の有無を確認している。
【先行技術文献】
【特許文献】
【０００５】
【特許文献１】特開２００８−６４２０９号公報
【特許文献２】特開２０１２−５９３８２号公報
【特許文献３】特開２０１３−６４４３４号公報
【発明の概要】
【発明が解決しようとする課題】
【０００６】
しかしながら、固体絶縁ミニクラッドの母線部を覆う鉄箱は、外気温や太陽光の影響、近くにある変圧器や配電線からの発熱の影響などを受けて、外表面の温度が上昇することがある。したがって、鉄箱の外表面の温度を赤外線サーモグラフィーで測定しても、その温度上昇が母線部の発熱の影響によるものなのか、外気温などの他の影響によるものなのか、直接確認できないことがある。
【０００７】
一方、変電機器では、温度履歴を確認する手段として、上述したサーモラベルを貼り付けて、温度測定を行うことが行われている。しかしながら、固体絶縁ミニクラッドの母線部は、鉄箱により覆われているため、サーモラベルを母線部に貼り付けて、この母線部の温度を直接確認することは不可能である。
【０００８】
本発明は、このような従来の事情に鑑みて提案されたものであり、直接確認できない測定対象物に対する測定を容易に行うことを可能とした測定用具、並びに、そのような測定用具を用いて、直接確認できない測定対象物に対する測定を行う測定方法を提供することを目的とする。
【課題を解決するための手段】
【０００９】
上記目的を達成するために、本発明は以下の手段を提供する。
（１）  無端環状のバンドと、
前記バンドに設けられた測定用ラベルとを備える測定用具。
（２）  前記測定用ラベルが前記バンドの少なくとも一部に設けられていることを特徴とする前記（１）に記載の測定用具。
（３）  前記測定用ラベルが前記バンドの表面に配置されていることを特徴とする前記（１）又は（２）に記載の測定用具。
（４）  前記測定用ラベルが前記バンドの内部に配置されていることを特徴とする前記（１）又は（２）の何れか一項に記載の測定用具。
（５）  前記バンドに標識が設けられていることを特徴とする前記（１）〜（４）の何れか一項に記載の測定用具。
（６）  前記測定用ラベルがサーモラベルであることを特徴とする前記（１）〜（５）の何れか一項に記載の測定用具。
（７）  前記（１）〜（６）の何れか一項に記載の測定用具を用いた測定方法であって、
前記バンドを測定対象物に巻き掛けると共に、その巻き掛け部分に前記測定用ラベルを位置させた状態で測定を行うステップと、
前記バンドを周方向に移動させながら、前記測定用ラベルを読み取り可能な位置まで移動させた後、前記測定用ラベルによる測定結果を読み取るステップと、
前記バンドを周方向に移動させながら、前記測定用ラベルを前記巻き掛け部分に位置させるステップとを含むことを特徴とする測定方法。
【発明の効果】
【００１０】
以上のように、本発明によれば、直接確認できない測定対象物に対する測定を容易に行うことを可能とした測定用具、並びに、そのような測定用具を用いて、直接確認できない測定対象物に対する測定を行う測定方法を提供することが可能である。
【図面の簡単な説明】
【００１１】
【図１】本発明の一実施形態として示す測定用具の斜視図である。
【図２】図１に示す測定用具が備えるサーモラベルの平面図である。
【図３】図１に示す測定用具を用いた測定方法を説明するための図であり、（ａ）は測定時の状態を示す側面図、（ｂ）は読取時の状態を示す側面図である。
【図４】測定用具の変形例を示す図である。
【図５】母線部の連結部に測定用具が巻き掛けられた状態を示す正面図である。
【図６】母線部に測定用具を巻き掛けて測定を行う場合の変形例を示す断面図である。
【図７】母線部の連結部以外の部分に測定用具を巻き掛けて測定を行う場合を示す斜視図である。
【発明を実施するための形態】
【００１２】
以下、本発明の実施の形態について、図面を参照して詳細に説明する。なお、以下の説明で用いる図面は、特徴をわかりやすくするために、便宜上特徴となる部分を拡大して示している場合があり、各構成要素の寸法比率などが実際と同じであるとは限らないものとする。
【００１３】
（測定用具）
先ず、本発明の一実施形態として、例えば図１及び図２に示す測定用具１の構成について説明する。なお、図１は、測定用具１の構成を示す斜視図である。図２は、測定用具１が備えるサーモラベルの構成を示す平面図である。
【００１４】
測定用具１は、図１に示すように、無端環状のバンド２と、バンド２に設けられたサーモラベル（測定用ラベル）３とを備えている。このうち、バンド２は、可撓性を有するテープ状の部材からなり、その両端を接続して無端環状としたもの、又は、初めから無端環状に形成されたものを用いている。
【００１５】
一方、サーモラベル３は、温度に応じて表示が不可逆的に変化するものであり、本実施形態では、例えば図２に示すように、７０℃、８０℃、９０℃に応じて発色する３つのマーク３ａが設けられたサーモラベル３を用いている。
【００１６】
サーモラベル３は、バンド２の少なくとも一部に設けられていればよく、本実施形態では、バンド２の外周面に位置して、バンド２の周方向に複数（本例では３つ）並んで設けられている。
【００１７】
（測定方法）
次に、上記測定用具１を用いた測定方法について、図３（ａ），（ｂ）を参照して説明する。なお、図３は、測定用具１を用いた測定方法を説明するための図であり、（ａ）は測定時の状態を示す側面図、（ｂ）は読取時の状態を示す側面図である。
【００１８】
本実施形態では、変電所などの設備において、固体絶縁ミニクラッドの母線部１０１を覆う鉄箱１０２を開閉することなく、上記測定用具１を用いて、鉄箱１０２内における母線部１０１の温度を測定し、母線部１０１の加熱の有無を確認する場合を例に挙げて説明する。
【００１９】
本実施形態では、先ず、図３（ａ）に示すように、測定用具１のバンド２の一端側を測定対象物である母線部１０１に巻き掛けると共に、その巻き掛け部分にサーモラベル３を位置させる。一方、バンド２の他端側は、鉄箱１０２の隙間から外側へと引き延ばした状態とする。この状態で、母線部１０１の温度測定を行う。
【００２０】
本実施形態では、鉄箱１０２内に設置された母線部１０１が上下方向に複数（本例では３つ）並んで設けられている。このため、それぞれの母線部１０１に測定用具１を設置する。
【００２１】
次に、図３（ｂ）に示すように、鉄箱１０２の外側において、測定者が測定用具１のバンド２を手繰りながら、測定用具１のバンド２を周方向に移動（周回）させることによって、サーモラベル３を読み取り可能な位置、すなわち測定者の手元まで移動させる。これにより、測定者は、鉄箱１０２を開けることなく、サーモラベル３による測定結果を読み取ることができる。
【００２２】
すなわち、サーモラベル３は、温度に応じて表示が不可逆的に変化するため、異常な温度上昇を検出した場合には、サーモラベル３の色の変化から、そのような異常を検出することができる。
【００２３】
そして、測定後に異常が検出されなかった場合は、測定用具１のバンド２を周方向に移動（周回）させながら、母線部１０１の巻き掛け部分にサーモラベル３を位置させる。これにより、図３（ａ）に示すように、鉄箱１０２を開けることなく、サーモラベル３を再び測定位置へと戻すことができる。
【００２４】
以上のように、本実施形態の測定用具１を用いることによって、鉄箱１０２の外側に居ながら、直接確認（視認）できない母線部１０１に対する温度測定を容易に行うことが可能である。また、上述した測定用具１のバンド２を周回させるといった簡単な操作で、母線部１０１に対する温度測定を定期的に行うことが可能である。
【００２５】
なお、図３（ａ），（ｂ）では、各母線部１０１の巻き掛けられたそれぞれのバンド２を見易くするため、各バンド２の引き回しを模式的に示している。実際は、鉄箱１０２の隙間から母線部１０１に巻き掛けられたバンド２を直線的に引っ張ることで、バンド２の母線部１０１の巻き掛けられた状態を保持することができる。
【００２６】
なお、本発明は、上記実施形態のものに必ずしも限定されるものではなく、本発明の趣旨を逸脱しない範囲において種々の変更を加えることが可能である。
例えば、上記測定用具１では、バンド２の一部にサーモラベル３が設けられた構成となっているが、バンド２の全周に亘ってサーモラベル３が設けられた構成としてもよい。
【００２７】
この構成の場合、使用するサーモラベル３の数が増えるものの、上述した測定後にバンド２を周回しながら元の位置に戻すといった操作が不要となり、母線部１０１の巻き掛け部分にサーモラベル３を常に位置させることが可能である。
【００２８】
また、サーモラベル３は、色が変化した後に再使用ができないため、バンド２ごと交換することになるが、バンド２の全周に亘ってサーモラベル３を設けた場合は、使用済みのサーモラベル３を測定位置から外すことで、バンド２を交換することなく、測定を継続することができる。
【００２９】
また、上記測定用具１については、上記図１に示す構成に限らず、例えば、図４（ａ）〜（ｃ）に示す測定用具１Ａ〜１Ｃのような構成であってもよい。
【００３０】
具体的に、図４（ａ）に示す測定用具１Ａは、互いに貼り合わされた一対のテープ状部材２ａ，２ｂからなるバンド２Ａを備えている。サーモラベル３は、これら一対のテープ状部材２ａ，２ｂの間（内部）に配置されている。この構成の場合、バンド２を移動（周回）させる際にサーモラベル３を保護することができる。
【００３１】
一方、図４（ｂ）に示す測定用具１Ｂは、中空円形断面状のチューブ４の内側にサーモラベル３を含むバンド２が配置された構成である。この構成の場合、バンド２を移動（周回）させ易くすると共に、バンド２を移動（周回）させる際にサーモラベル３を保護することができる。さらに、バンド２を斜めに配置することも可能である。
【００３２】
一方、図４（ｃ）に示す測定用具１Ｃは、断面円形状を為す紐状のバンド５の表面に測定用ラベル３が配置された構成である。この構成の場合、バンド２をどちらの方向にも曲げ易くすることができる。さらに、バンド２を斜めに配置することも可能である。
【００３３】
また、上記測定用具１では、図示を省略するものの、バンド２の周方向における測定用ラベル３の位置をわかりやすくするため、例えば目盛りなどの標識をバンド２の外周面に設けた構成としてもよい。この構成の場合、標識を見ながら、母線部１０１の巻き掛け部分にサーモラベル３を正確に位置させることができる。
【００３４】
また、上記測定用具１を用いた測定では、図５に示すように、隣接する測定用具１同士が交わらないように、母線部１０１の軸線方向にずらして設置することが望ましい。また、各測定用具１は、各母線部１０１の連結部１０１ａに巻き掛けて設置することが望ましい。
【００３５】
連結部１０１ａは、母線部１０１の中で最も発熱し易い部分である。また、連結部１０１ａは、互いに対向するフランジが設けられており、その間にバンド２を巻き掛けることによって、連結部１０１ａがバンド３を周回させる際のガイドとして機能することになる。
【００３６】
また、上記測定用具１を用いる場合は、図６に示すように、バンド２（測定用具１）が巻き掛けられるガイド機構１０３などを設けて、バンド２の引き回しを容易にすることも可能である。また、測定用具１については、鉄箱１０２の隙間１０２ａを通してバンド２を引き回すことが可能である。
【００３７】
また、測定中は、バンド２が母線部１０１の巻き掛けられた状態を維持するため、バンド２の他端側をフック機構１０４に引っ掛けておくことによって、バンド２を引っ張った状態で保持してもよい。さらに、テンション機構１０５などを設けて、バンド２の弛みを解消することも可能である。
【００３８】
また、母線部１０１の測定位置に連結部１０１ａが無い場合は、例えば図７に示すように、母線部１０１の測定位置にバンド２を巻き掛けるための一対のガイド部材１０６を設けてもよい。さらに、一対のガイド部材１０６の間に母線部１０１の外周において回転可能なリング部材１０７を設けてもよい。この場合、リング部材１０７にバンド２を巻き掛けることによって、バンド２を周回させる際の摺動抵抗を低減することも可能である。なお、一対のガイド部材１０６には、耐熱性を有した材料を用いることが好ましい。一方、リング部材１０７には、熱伝導性が高く且つ薄い材料（例えば銅などの金属）を用いることが好ましい。
【００３９】
なお、上記実施形態では、１つの母線部１０１に１つのバンド２（測定用具１）を巻き掛けて測定を行う場合を例示したが、複数の母線部１０１に１つのバンド２（測定用具１）を巻き掛けて測定を行うことも可能である。
【００４０】
また、上記実施形態では、サーモラベル３を用いて母線部１０１の温度測定を行う場合を例示しているが、上述したサーモラベル３を用いた温度測定に限らず、測定対象物の違いに応じて、例えば、水（分）や薬品などの特定の物質を検知するラベルや、放射線などを検知するラベルなどの測定用ラベルを用いて、様々な測定対象物の測定に本発明の測定用具を適用することが可能である。
【符号の説明】
【００４１】
１，１Ａ〜１Ｃ…測定用具  ２，２Ａ…テープ状のバンド  ３…サーモラベル（測定用ラベル）  ４…チューブ  ５…紐状のバンド  １０１…母線部（測定対象物）  １０２…鉄箱  １０３…ガイド機構  １０４…フック機構  １０５…テンション機構  １０６…ガイド部材  １０７…リング部材
【図１】
2017166893.tif 000003
【図２】
2017166893.tif 000004
【図３】
2017166893.tif 000005
【図４】
2017166893.tif 000006
【図５】
2017166893.tif 000007
【図６】
2017166893.tif 000008
【図７】
2017166893.tif 000009